(57)【特許請求の範囲】
【請求項１】
地震発生を判定する地震判定部と、
火災発生を判定する火災判定部と、
上記火災判定部が火災発生と判定した場合に、点滅点灯し、上記火災判定部が火災発生と判定せず、かつ、上記地震判定部が地震発生と判定した場合に、連続点灯する光源部とを有し、
上記光源部は、設置時に略水平方向となる方向へ向けて光を放射する第一光源部と、設置時に略垂直下方向となる方向へ向けて光を放射する第二光源部とを有し、
上記第一光源部は、上記火災判定部が火災発生と判定した場合に、点滅点灯し、
上記第二光源部は、上記火災判定部が火災発生と判定した場合に、点滅点灯し、上記火災判定部が火災発生と判定せず、かつ、上記地震判定部が地震発生と判定した場合に、連続点灯することを特徴とする点滅装置。
【請求項２】
請求項１に記載の点滅装置と、
停電を判定する停電判定部と、
避難誘導の図柄を表示する表示部と、
上記表示部を照らす光を放射する表示光源部とを有し、
上記表示光源部は、上記停電判定部が停電と判定しない場合に、第一の照度の光を放射し、上記停電判定部が停電と判定し、かつ、上記火災判定部が火災発生と判定した場合に、上記第一の照度より暗い第二の照度の光を放射し、上記停電判定部が停電と判定し、かつ、上記火災判定部が火災発生と判定せず、かつ、上記地震判定部が地震発生と判定した場合に、上記第二の照度よりも更に暗い第三の照度の光を放射することを特徴とする誘導灯装置。
【請求項３】
請求項１に記載の点滅装置または請求項２に記載の誘導灯装置と、
緊急地震速報を受信する緊急地震速報受信装置とを有し、
上記地震判定部は、上記緊急地震速報受信装置が緊急地震速報を受信した場合に、地震発生と判定することを特徴とする避難誘導システム。
【発明の詳細な説明】
【技術分野】
【０００１】
この発明は、災害発生時に屋内にいる人を避難させる避難誘導システムに関する。
【背景技術】
【０００２】
火災などの災害発生時に、屋内にいる人を避難させるため、避難経路を示す誘導灯装置などがある。
【先行技術文献】
【特許文献】
【０００３】
【特許文献１】実用新案登録第３０５０４８０号
【発明の概要】
【発明が解決しようとする課題】
【０００４】
災害の種類によって、速やかに避難すべき場合や、落ち着いて避難すべき場合などがある。
この発明は、例えば、上記のような課題を解決するためになされたものであり、災害の種類に応じて、適切に避難誘導をすることを目的とする。
【課題を解決するための手段】
【０００５】
この発明にかかる点滅装置は、地震発生を判定する地震判定部と、火災発生を判定する火災判定部と、上記火災判定部が火災発生と判定した場合に、点滅点灯し、上記火災判定部が火災発生と判定せず、かつ、上記地震判定部が地震発生と判定した場合に、連続点灯する光源部とを有することを特徴とする。
【発明の効果】
【０００６】
この発明にかかる点滅装置によれば、火災発生時と地震発生時において、それぞれ適切に避難誘導をすることができる。
【図面の簡単な説明】
【０００７】
【図１】実施の形態１における避難誘導システム８００の全体構成を示すシステム構成図。
【図２】実施の形態１における誘導灯装置１００の外観を示す斜視図。
【図３】実施の形態１における点滅部１３０の構造を示す正視一部断面図。
【図４】実施の形態１における誘導灯装置１００の構成を示すブロック構成図。
【図５】実施の形態１における制御回路１４０の構成を示すブロック構成図。
【図６】実施の形態１における誘導灯回路２２１の構成を示すブロック構成図。
【図７】実施の形態１における点滅回路２３１の構成を示すブロック構成図。
【図８】実施の形態１における避難誘導処理Ｓ５１０の流れを示すフローチャート図。
【図９】実施の形態２における点滅部１３０の構造を示す正視一部断面図。
【図１０】実施の形態３における点滅部１３０の構造を示す正視一部断面図。
【図１１】実施の形態３における点滅回路２３１の構成を示すブロック構成図。
【図１２】実施の形態４における避難誘導システム８００の全体構成を示すシステム構成図。
【図１３】実施の形態４における点滅装置１０１の外観を示す斜視図。
【図１４】実施の形態４における点滅装置１０１の構成を示すブロック構成図。
【図１５】実施の形態４における避難誘導処理Ｓ５１０の流れを示すフローチャート図。
【図１６】実施の形態５における点滅装置１０１の外観を示す斜視図。
【図１７】実施の形態６における点滅装置１０１の外観を示す斜視図。
【図１８】実施の形態６における点滅装置１０１の構成を示すブロック構成図。
【図１９】実施の形態６における避難誘導処理Ｓ５１０の流れを示すフローチャート図。
【図２０】実施の形態７における点滅装置１０１の外観を示す斜視図。
【図２１】実施の形態８における点滅部１３０の構造を示す正視一部断面図。
【図２２】実施の形態８における点滅回路２３１の構成を示すブロック構成図。
【図２３】実施の形態８における点滅部１３０の動きを示す模式図。
【図２４】実施の形態９における点滅部１３０の構造を示す正視一部断面図。
【発明を実施するための形態】
【０００８】
実施の形態１．
実施の形態１について、図１〜図８を用いて説明する。
【０００９】
図１は、この実施の形態における避難誘導システム８００の全体構成を示すシステム構成図である。
避難誘導システム８００は、ビルなどの屋内に設置され、火災発生時や地震発生時に、屋内にいる人を避難させるシステムである。避難誘導システム８００は、配電設備８１０と、火災報知設備８２０と、非常放送設備８３０と、誘導灯装置１００と、電源線８９１と、火災信号線８９２と、地震信号線８９３とを有する。
配電設備８１０は、商用電源などから供給された電力を、電源線８９１を介して、誘導灯装置１００などに供給する。
火災報知設備８２０（火災検知装置）は、火災の発生を検知する。火災報知設備８２０は、例えば、煙感知器、熱感知器、火災報知機などを備え、火災により発生する煙や熱を感知し、あるいは、火災を発見した人の操作により、火災の発生を検知する。火災報知設備８２０は、火災の発生を検知すると、消防署などに通報するとともに、火災信号を出力する。火災信号線８９２は、火災報知設備８２０が出力した火災信号を、誘導灯装置１００に伝達する。
非常放送設備８３０（地震検知装置）は、地震の発生を検知する。非常放送設備８３０は、例えば、振動センサ、緊急地震速報受信装置などを備え、地震による揺れを感知し、あるいは、気象庁などが送信する緊急地震速報を受信することにより、地震の発生を検知する。非常放送設備８３０は、地震の発生を検知すると、非常放送をするとともに、地震信号を出力する。地震信号線８９３は、非常放送設備８３０が出力した地震信号を、誘導灯装置１００に伝達する。
誘導灯装置１００は、消防法の定めなどにしたがって、非常口や避難経路に設置されている。誘導灯装置１００は、屋内にいる人が安全に避難できるよう、避難経路を示す。
【００１０】
図２は、この実施の形態における誘導灯装置１００の外観を示す斜視図である。
誘導灯装置１００は、器具本体１１０と、表示本体１２１と、点滅部１３０とを有する。
器具本体１１０は、直方体箱状であり、後述する誘導灯回路などを内蔵する。器具本体１１０は、一面が開口している。表示本体１２１は、器具本体１１０の開口した一面を塞ぐ形で、器具本体１１０に取り付けられている。表示本体１２１は、中央にシンボル面１２２を有する。シンボル面１２２には、消防法などにより定められた避難誘導を示す図柄が印刷されている。
点滅部１３０は、器具本体１１０の六面のうち、誘導灯装置１００を設置したとき下側になる面に設けられている。
【００１１】
図３は、この実施の形態における点滅部１３０の構造を示す正視一部断面図である。
点滅部１３０は、キセノンランプ１３１と、キセノンランプソケット１３２と、ＬＥＤ１３３と、プリント配線板１３４と、カバー１３５とを有する。
プリント配線板１３４（基板）は、器具本体１１０の下面とほぼ同一の面に実装面が位置するよう、器具本体１１０に固定されている。
キセノンランプソケット１３２は、プリント配線板１３４に実装されていて、キセノンランプ１３１を接続する。キセノンランプ１３１（第一光源部）は、キセノンランプソケット１３２により、器具本体１１０の下面から下方向に突出した位置に保持される。これにより、キセノンランプ１３１は、略水平方向を含む方向へ光を放射する。なお、点滅部１３０は、キセノンランプソケット１３２を有さず、キセノンランプ１３１が半田付けなどにより直接接続されている構成であってもよい。
キセノンランプ１３１は、煙などにより視界が悪くなったときでも誘導灯装置１００を視認できるよう、火災発生時に点滅する。
ＬＥＤ１３３（第二光源部）は、プリント配線板１３４に実装されていて、器具本体１１０の下面とほぼ同一の面上に下向きに配置される。ＬＥＤ１３３は、キセノンランプソケット１３２に保持されたキセノンランプ１３１の周囲を取り囲むよう、複数設けられている。ＬＥＤ１３３は、略垂直下方向を含む方向へ光を放射する。ＬＥＤ１３３は、地震発生時に足元に物が散乱したときでも安全に避難できるよう、地震発生時に床面を照らす。また、火災発生時には、ＬＥＤ１３３は、キセノンランプ１３１とともに点滅する。
カバー１３５は、キセノンランプ１３１やＬＥＤ１３３を覆う透明カバーである。
【００１２】
図４は、この実施の形態における誘導灯装置１００の構成を示すブロック構成図である。
誘導灯装置１００は、電源端子台１６０と、火災信号端子台１７０と、地震信号端子台１８０と、誘導灯ユニット２２０と、点滅ユニット２３０と、制御ユニット２４０と、これらを接続する電線１９１〜１９７とを有する。
電源端子台１６０は、電線挿入穴１６１〜１６４を有する。電線挿入穴１６１には、電源線８９１が挿入されて固定され、配電設備８１０から供給される電力を入力する。電線挿入穴１６２〜１６４には、それぞれ、電線１９１〜１９３が挿入されて固定され、電源線８９１と電気接続している。
火災信号端子台１７０は、電線挿入穴１７１，１７２を有する。電線挿入穴１７１には、火災信号線８９２が挿入されて固定され、火災報知設備８２０から火災信号を入力する。電線挿入穴１７２には、電線１９４が挿入されて固定され、火災信号線８９２と電気接続している。
地震信号端子台１８０は、電線挿入穴１８１，１８２を有する。電線挿入穴１８１には、地震信号線８９３が挿入されて固定され、非常放送設備８３０から地震信号を入力する。電線挿入穴１８２には、電線１９５が挿入されて固定され、地震信号線８９３と電気接続している。
【００１３】
制御ユニット２４０は、誘導灯ユニット２２０や点滅ユニット２３０を制御する制御信号を生成する。制御ユニット２４０は、制御回路１４０と、電源端子２４３と、火災入力端子２４４と、地震入力端子２４５と、制御出力端子２４６，２４７とを有する。
電源端子２４３は、電線１９３と電気接続し、電源端子台１６０を介して、配電設備８１０から供給される電力を入力する。火災入力端子２４４は、電線１９４と電気接続し、火災信号端子台１７０を介して、火災報知設備８２０が出力した火災信号を入力する。地震入力端子２４５は、電線１９５と電気接続し、地震信号端子台１８０を介して、非常放送設備８３０が出力した地震信号を入力する。制御回路１４０は、火災入力端子２４４から入力した火災信号と、地震入力端子２４５から入力した地震信号とに基づいて、誘導灯ユニット２２０を制御する照度制御信号と、点滅ユニット２３０を制御する点滅制御信号とを生成する。制御出力端子２４６は、電線１９６と電気接続し、制御回路１４０が生成した照度制御信号を出力する。制御出力端子２４７は、電線１９７と電気接続し、制御回路１４０が生成した点滅制御信号を出力する。
平常時において、制御回路１４０は、電源端子２４３から入力した電力により動作する。また、制御ユニット２４０は、図示していない電池を有し、停電時において、制御回路１４０は、電池に蓄えられた電力により動作する。電池は、平常時に、電源端子２４３から入力した電力により充電される。
なお、制御ユニット２４０は、誘導灯装置１００から独立して存在する構成であってもよい。その場合、制御ユニット２４０は、避難誘導システム８００に１つだけ存在すればよく、誘導灯装置１００は、火災信号や地震信号の代わりに、制御ユニット２４０が出力した照度制御信号や点滅制御信号を入力する。
【００１４】
誘導灯ユニット２２０は、表示部１２０と、誘導灯回路２２１と、電池２２２と、電源端子２２３と、制御入力端子２２４とを有する。
表示部１２０は、表示本体１２１と、表示パネル１２３と、導光板１２４と、表示光源部１２５とを有する。表示光源部１２５は、ＬＥＤ１２６と、プリント配線板１２７と、ランプホルダ１２８とを有する。ＬＥＤ１２６は、プリント配線板１２７（基板）に実装されている。ランプホルダ１２８は、プリント配線板１２７を保持し、保持したプリント配線板１２７を表示本体１２１に固定する。表示パネル１２３は、表面に避難誘導の図柄が印刷されたシンボル面１２２を有し、ＬＥＤ１２６が放射した光に照らされて発光する。導光板１２４は、表示パネル１２３のシンボル面１２２が均等に照らされるよう、ＬＥＤ１２６が放射した光を導く。
電源端子２２３は、電線１９１と電気接続し、電源端子台１６０を介して、配電設備８１０から供給される電力を入力する。制御入力端子２２４は、電線１９６と電気接続し、制御ユニット２４０が出力した照度制御信号を入力する。
誘導灯回路２２１は、平常時において、電源端子２２３から入力した電力により、電池２２２を充電するとともに、ＬＥＤ１２６に電力を供給して点灯させる。また、誘導灯回路２２１は、停電時において、電池２２２からの電力でＬＥＤ１２６を点灯させる。誘導灯回路２２１は、制御入力端子２２４から入力した照度制御信号などに基づいて、ＬＥＤ１２６を点灯する明るさを変化させる。
【００１５】
点滅ユニット２３０は、点滅部１３０と、点滅回路２３１と、電池２３２と、電源端子２３３と、制御入力端子２３４と、誘導音出力部２３５とを有する。
電源端子２３３は、電線１９２と電気接続し、電源端子台１６０を介して、配電設備８１０から供給される電力を入力する。制御入力端子２３４は、電線１９７と電気接続し、制御ユニット２４０が出力した点滅出力信号を入力する。
点滅回路２３１は、平常時において、電源端子２３３から入力した電力により、電池２３２を充電するとともに、キセノンランプ１３１やＬＥＤ１３３に電力を供給して点灯させる。また、点滅回路２３１は、停電時において、電池２３２からの電力でキセノンランプ１３１やＬＥＤ１３３を点灯させる。点滅回路２３１は、制御入力端子２３４から入力した点滅制御信号に基づいて、キセノンランプ１３１やＬＥＤ１３３を点滅点灯させたり、連続点灯させたりする。
また、誘導音出力部２３５は、キセノンランプ１３１やＬＥＤ１３３の点灯に合わせて、音声などの誘導音を出力する。
【００１６】
なお、１つの電池を誘導灯ユニット２２０と点滅ユニット２３０とで共用する構成であってもよい。また、制御ユニット２４０に電池を設ける代わりに、電池２２２または電池２３２から、停電時に制御回路１４０を動作させる電力を供給する構成であってもよい。
【００１７】
図５は、この実施の形態における制御回路１４０の構成を示すブロック構成図である。
制御回路１４０は、例えば、論理回路などによって構成される。制御回路１４０は、火災判定部１４４と、地震判定部１４５と、制御信号生成部１４６とを有する。
火災判定部１４４は、火災入力端子２４４から入力した火災信号に基づいて、火災が発生したか否かを判定する。火災判定部１４４は、火災入力端子２４４が火災信号を入力した場合に、火災が発生したと判定する。その後、火災入力端子２４４が火災信号を入力しなくなっても、火災によって火災信号線８９２が断線するなどして、火災信号が誘導灯装置１００に到達しなくなった可能性がある。このため、火災判定部１４４は、図示していないリセットボタンが押されるなどのリセット処理が行われるまでの間、火災が発生したと判定し続ける。それ以外の場合、火災判定部１４４は、火災が発生していないと判定する。
地震判定部１４５は、地震入力端子２４５から入力した地震信号に基づいて、地震が発生したか否かを判定する。地震判定部１４５は、地震入力端子２４５が地震信号を入力した場合に、地震が発生したと判定する。その後、地震入力端子２４５が地震信号を入力しなくなっても、地震によって地震信号線８９３が断線するなどして、地震信号が誘導灯装置１００に到達しなくなった可能性がある。このため、地震判定部１４５は、図示していないリセットボタンが押されるなどのリセット処理が行われるまでの間、地震が発生したと判定し続ける。それ以外の場合、地震判定部１４５は、地震が発生していないと判定する。
制御信号生成部１４６は、火災判定部１４４及び地震判定部１４５の判定結果に基づいて、制御信号を生成する。
火災判定部１４４が火災発生と判定した場合、制御信号生成部１４６は、火災発生時を表わす制御信号を生成する。
火災判定部１４４が火災発生でないと判定し、かつ、地震判定部１４５が地震発生と判定した場合、制御信号生成部１４６は、地震発生時を表わす制御信号を生成する。
火災判定部１４４が火災発生でないと判定し、かつ、地震判定部１４５が地震発生でないと判定した場合、制御信号生成部１４６は、平常時を表わす制御信号を生成する。
制御出力端子２４６は、制御信号生成部１４６が生成した制御信号を、照度制御信号として出力する。平常時を表わす制御信号は、照度１００％を指示する照度制御信号として解釈される。火災発生時を表わす制御信号は、照度７０％を指示する照度制御信号として解釈される。地震発生時を表わす制御信号は、照度５０％を指示する照度制御信号として解釈される。
制御出力端子２４７は、制御信号生成部１４６が生成した制御信号を、点滅制御信号として出力する。平常時を表わす制御信号は、消灯を指示する点滅制御信号として解釈される。火災発生時を表わす制御信号は、点滅点灯を指示する点滅制御信号として解釈される。地震発生時を表わす制御信号は、連続点灯を指示する点滅制御信号として解釈される。
【００１８】
図６は、この実施の形態における誘導灯回路２２１の構成を示すブロック構成図である。
誘導灯回路２２１は、電源回路２５１と、停電判定部２５２と、電源切替回路２５３と、充放電回路２５４と、照度設定回路２５５と、点灯回路２５６とを有する。
電源回路２５１は、電源端子２２３から入力した電力を、電池２２２の充電に適した直流電力に変換する。
停電判定部２５２は、停電か否かを判定する。停電判定部２５２は、例えば電源端子２２３の電位に基づいて、電源端子２２３から電力を入力しているか否かを判定し、入力していないと判定した場合に、停電であると判定する。
電源切替回路２５３は、停電判定部２５２の判定結果に基づいて、点灯回路２５６の電源を切り替える。停電判定部２５２が停電でないと判定した場合、電源切替回路２５３は、電源回路２５１が変換した直流電力を、充放電回路２５４及び点灯回路２５６に対して供給する。停電判定部２５２が停電であると判定した場合、電源切替回路２５３は、充放電回路２５４から供給される電力を、点灯回路２５６に対して供給する。
充放電回路２５４は、停電判定部２５２の判定結果に基づいて、電池２２２を充放電する。停電判定部２５２が停電でないと判定した場合、充放電回路２５４は、電源切替回路２５３から供給される電力で、電池２２２を充電する。停電判定部２５２が停電であると判定した場合、充放電回路２５４は、電池２２２に蓄積された電力を、電源切替回路２５３に対して供給する。
照度設定回路２５５は、停電判定部２５２の判定結果と、制御入力端子２２４が入力した照度制御信号とに基づいて、ＬＥＤ１２６を点灯する明るさを設定する。停電判定部２５２が停電でないと判定した場合、照度設定回路２５５は、照度制御信号の内容に関わらず、ＬＥＤ１２６を点灯する明るさを、１００％に設定する。停電判定部２５２が停電であると判定した場合、照度設定回路２５５は、ＬＥＤ１２６を点灯する明るさを、照度制御信号の指示にしたがって、１００％、７０％もしくは５０％に設定する。
点灯回路２５６は、電源切替回路２５３から供給される電力を、照度設定回路２５５が設定した明るさでＬＥＤ１２６を点灯させる電力に変換し、ＬＥＤ１２６に対して供給する。
【００１９】
図７は、この実施の形態における点滅回路２３１の構成を示すブロック構成図である。
点滅回路２３１は、電源回路２６１と、停電判定部２６２と、電源切替回路２６３と、充放電回路２６４と、点滅制御回路２６５と、点灯回路２６６と、点灯回路２６７とを有する。
電源回路２６１は、電源端子２３３から入力した電力を、電池２３２の充電に適した電力に変換する。
停電判定部２６２は、停電か否かを判定する。停電判定部２６２は、例えば電源端子２３３の電位に基づいて、電源端子２３３から電力を入力しているか否かを判定し、入力していないと判定した場合に、停電であると判定する。
電源切替回路２６３は、停電判定部２６２の判定結果に基づいて、点灯回路２６６，２６７の電源を切り替える。停電判定部２６２が停電でないと判定した場合、電源切替回路２６３は、電源回路２６１が変換した直流電力を、充放電回路２６４及び点灯回路２６６，２６７に対して供給する。停電判定部２６２が停電であると判定した場合、電源切替回路２６３は、充放電回路２６４から供給される電力を、点灯回路２６６，２６７に対して供給する。
充放電回路２６４は、停電判定部２６２の判定結果に基づいて、電池２３２を充放電する。停電判定部２６２が停電でないと判定した場合、充放電回路２６４は、電源切替回路２６３から供給された電力で、電池２３２を充電する。停電判定部２６２が停電であると判定した場合、充放電回路２６４は、電池２３２に蓄積された電力を、電源切替回路２６３に対して供給する。
点灯回路２６６は、電源切替回路２６３から供給される電力を、キセノンランプ１３１を点滅点灯させる電力に変換し、キセノンランプ１３１に対して供給する。
点灯回路２６７は、電源切替回路２６３から供給される電力を、ＬＥＤ１３３を点滅点灯もしくは連続点灯させる電力に変換し、ＬＥＤ１３３に対して供給する。
点滅制御回路２６５は、制御入力端子２３４が入力した点滅制御信号に基づいて、点灯回路２６６，２６７の動作を制御する。点滅制御信号が消灯を指示する場合、点滅制御回路２６５は、点灯回路２６６，２６７の動作を停止させる。点滅制御信号が点滅点灯を指示する場合、点滅制御回路２６５は、点灯回路２６６に点滅点灯動作をさせるとともに、点灯回路２６７に点滅点灯動作をさせる。点滅制御信号が連続点灯を指示する場合、点滅制御回路２６５は、点灯回路２６６の動作を停止させ、点灯回路２６７に連続点灯動作をさせる。
【００２０】
誘導音出力部２３５は、制御入力端子２３４から入力した点滅制御信号に基づいて、誘導音を出力する。点滅制御信号が消灯を指示する場合、誘導音出力部２３５は、誘導音を出力しない。点滅制御信号が点滅点灯を指示する場合、誘導音出力部２３５は、火災発生を知らせる誘導音（例えば「火災が発生しました。速やかに避難してください」という音声）を出力する。点滅制御信号が連続点灯を指示する場合、誘導音出力部２３５は、地震発生を知らせる誘導音（例えば「地震が発生しました。慌てずに避難してください」という音声）を出力する。
【００２１】
図８は、この実施の形態における避難誘導処理Ｓ５１０の流れを示すフローチャート図である。
避難誘導処理Ｓ５１０は、地震判定工程Ｓ５１１と、火災判定工程Ｓ５１２，Ｓ５２２と、停電判定工程Ｓ５１３と、表示点灯工程Ｓ５１４，Ｓ５１５，Ｓ５２４と、点滅工程Ｓ５１６と、床面照射工程Ｓ５２６と、誘導音出力工程Ｓ５１７，Ｓ５２７と、リセット判定工程Ｓ５１８，Ｓ５２８とを有する。
地震判定工程Ｓ５１１において、地震判定部１４５は、地震発生か否かを判定する。地震発生と判定した場合、地震判定部１４５は、火災判定工程Ｓ５２２へ処理を進める。地震発生でないと判定した場合、地震判定部１４５は、火災判定工程Ｓ５１２へ処理を進める。
火災判定工程Ｓ５１２において、火災判定部１４４は、火災発生か否かを判定する。火災発生と判定した場合、火災判定部１４４は、停電判定工程Ｓ５１３へ処理を進める。火災発生でないと判定した場合、火災判定部１４４は、地震判定工程Ｓ５１１に処理を戻す。
停電判定工程Ｓ５１３において、停電判定部２５２は、停電か否かを判定する。停電と判定した場合、停電判定部２５２は、表示点灯工程Ｓ５１５へ処理を進める。停電でないと判定した場合、停電判定部２５２は、表示点灯工程Ｓ５１４へ処理を進める。
表示点灯工程Ｓ５１４において、点灯回路２５６は、ＬＥＤ１２６を１００％の明るさで点灯する。点灯回路２５６は、点滅工程Ｓ５１６へ処理を進める。
表示点灯工程Ｓ５１５において、点灯回路２５６は、ＬＥＤ１２６を７０％の明るさで点灯する。
点滅工程Ｓ５１６において、点灯回路２６６は、キセノンランプ１３１を点滅点灯する。点灯回路２６７は、ＬＥＤ１３３を点滅点灯する。
誘導音出力工程Ｓ５１７において、誘導音出力部２３５は、火災発生時の誘導音を出力する。
リセット判定工程Ｓ５１８において、火災判定部１４４は、リセットされたか否かを判定する。リセットされたと判定した場合、火災判定部１４４は、地震判定工程Ｓ５１１に処理を戻す。リセットされていないと判定した場合、火災判定部１４４は、停電判定工程Ｓ５１３に処理を戻す。
火災判定工程Ｓ５２２において、火災判定部１４４は、火災発生か否かを判定する。火災発生と判定した場合、火災判定部１４４は、停電判定工程Ｓ５１３へ処理を進める。火災発生でないと判定した場合、火災判定部１４４は、表示点灯工程Ｓ５２４へ処理を進める。
表示点灯工程Ｓ５２４において、点灯回路２５６は、ＬＥＤ１２６を５０％の明るさで点灯する。
床面照射工程Ｓ５２６において、点灯回路２６６は、キセノンランプ１３１を消灯する。点灯回路２６７は、ＬＥＤ１３３を連続点灯する。
誘導音出力工程Ｓ５２７において、誘導音出力部２３５は、地震発生時の誘導音を出力する。
リセット判定工程Ｓ５２８において、地震判定部１４５は、リセットされたか否かを判定する。リセットされたと判定した場合、地震判定部１４５は、地震判定工程Ｓ５１１に処理を戻す。リセットされていないと判定した場合、地震判定部１４５は、火災判定工程Ｓ５２２に処理を戻す。
【００２２】
火災発生時には、煙などにより視界が悪くなるので、キセノンランプ１３１及びＬＥＤ１３３を点滅点灯することにより、誘導灯装置１００を見つけやすくなり、速やかに避難することができる。また、地震発生時には、床に物が散乱するなどして避難に時間がかかる場合があるので、ＬＥＤ１３３を連続点灯することにより、周りの状況を把握しやすくなり、安全に避難することができる。
また、火災と地震とが同時に発生した場合は、火災発生時と同じ動作をすることにより、速やかな避難を促す。
【００２３】
キセノンランプ１３１（第一光源部）は、誘導灯装置１００の設置時に略水平方向となる方向を含む広い範囲へ向けて光を放射するので、遠くからでも誘導灯装置１００を発見しやすい。また、ＬＥＤ１３３（第二光源部）は、誘導灯装置１００の設置時に略垂直下方向となる方向を含む比較的狭い範囲へ向けて光を放射するので、床面を十分な明るさで照らすことができる。
【００２４】
停電が発生していない場合、表示光源部１２５のＬＥＤ１２６は、１００％の明るさ（第一の照度）で点灯するので、遠くからでも誘導灯装置１００を発見しやすい。火災発生時に停電が発生した場合、ＬＥＤ１２６は、７０％の明るさ（第二の照度）で点灯するので、消防法などにより定められた時間（例えば２０分〜６０分）、電池２２２に蓄えられた電力で点灯することができる。また、地震発生時に停電が発生した場合、ＬＥＤ１２６は、５０％の明るさ（第三の照度）で点灯するので、消防法などにより定められた時間より長い時間（例えば４０分〜１２０分）、点灯することができる。火災発生時には、火がまわる前に速やかに避難する必要があるのに対し、地震発生時には、物が散乱するなど、慎重に避難する必要があり、避難に時間がかかる可能性がある。このため、表示パネル１２３を、地震発生時に火災発生時よりも長い時間光らせる。また、火災発生時には、煙によって視界が悪くなる場合があるので、表示パネル１２３を、地震発生時に火災発生時よりも暗く光らせても、視認性が落ちることはない。
【００２５】
また、緊急地震速報により地震発生を判定するので、実際に揺れが来る前に、避難誘導を開始することができる。
【００２６】
更に、誘導音を使って避難誘導をするので、視覚だけでなく聴覚にも訴えることができ、確実に避難誘導をすることができる。
【００２７】
実施の形態２．
実施の形態２について、図９を用いて説明する。
なお、実施の形態１と共通する部分については、同一の符号を付し、説明を省略する。
【００２８】
図９は、この実施の形態における点滅部１３０の構造を示す正視一部断面図である。
カバー１３５は、キセノンランプ１３１を覆っているが、ＬＥＤ１３３を覆っていない。ＬＥＤ１３３は、器具本体１１０の下面に設けられた開口穴１１１から直接、略垂直下方向を含む方向へ光を放射する。
【００２９】
このように、ＬＥＤ１３３は、カバー１３５の外に設けられる構成であってもよい。
【００３０】
また、カバー１３５は、透明カバーではなく、拡散カバーであってもよい。
【００３１】
実施の形態３．
実施の形態３について、図１０〜図１１を用いて説明する。
なお、実施の形態１と共通する部分については、同一の符号を付し、説明を省略する。
【００３２】
図１０は、この実施の形態における点滅部１３０の構造を示す正視一部断面図である。
点滅部１３０は、実施の形態１で説明したキセノンランプ１３１を有さない。
【００３３】
図１１は、この実施の形態における点滅回路２３１の構成を示すブロック構成図である。
点滅回路２３１は、実施の形態１で説明した点灯回路２６６を有さない。
【００３４】
ＬＥＤ１３３の輝度が十分高ければ、このように、キセノンランプ１３１を有さない構成であっても、実施の形態１と同様の効果を奏する。なお、ＬＥＤ１３３の数を増やすことにより、全体としての輝度を高くする構成であってもよい。
【００３５】
実施の形態４．
実施の形態４について、図１２〜図１５を用いて説明する。
なお、実施の形態１と共通する部分については、同一の符号を付し、説明を省略する。
【００３６】
図１２は、この実施の形態における避難誘導システム８００の全体構成を示すシステム構成図である。
避難誘導システム８００は、実施の形態１で説明した構成に加えて、更に、点滅装置１０１を有する。
点滅装置１０１は、誘導灯装置１００から誘導灯ユニット２２０を除いたものである。点滅装置１０１は、例えば、誘導灯装置１００の設置間隔が離れている場所で、誘導灯装置１００と誘導灯装置１００との間に設置する。あるいは、点滅装置１０１は、点滅ユニット２３０を有さない誘導灯装置の近くに設置してもよい。
【００３７】
図１３は、この実施の形態における点滅装置１０１の外観を示す斜視図である。
点滅装置１０１は、例えば、壁面に埋め込んで設置される。点滅装置１０１は、器具本体１１０と、点滅部１３０と、スピーカー１５１とを有する。
点滅部１３０は、器具本体１１０の下面ではなく、器具本体１１０の側面に設けられている。ＬＥＤ１３３は、例えば、サイドエミッタ型のＬＥＤであり、略垂直下方向へ向けて光を放射する。
スピーカー１５１は、誘導音出力部２３５の一部であり、誘導音を発する。
【００３８】
図１４は、この実施の形態における点滅装置１０１の構成を示すブロック構成図である。
点滅装置１０１は、実施の形態１で説明した誘導灯装置１００のうち、誘導灯ユニット２２０を有さない。これに伴って、点滅装置１０１は、電源端子台１６０と誘導灯ユニット２２０とを接続する電線１９１や、制御ユニット２４０と誘導灯ユニット２２０とを接続する電線１９６を有さない。
【００３９】
図１５は、この実施の形態における避難誘導処理Ｓ５１０の流れを示すフローチャート図である。
避難誘導処理Ｓ５１０は、実施の形態１で説明した工程のうち、停電判定工程Ｓ５１３、表示点灯工程Ｓ５１４，Ｓ５１５，Ｓ５２４を有さない。
火災判定工程Ｓ５１２，Ｓ５２２で火災発生と判定した場合、および、リセット判定工程Ｓ５１８でリセットされていないと判定した場合、火災判定部１４４は、点滅工程Ｓ５１６へ処理を進める。
また、火災判定工程Ｓ５２２で火災発生でないと判定した場合、火災判定部１４４は、床面照射工程Ｓ５２６へ処理を進める。
【００４０】
このように、誘導灯装置１００の設置間隔が離れている場所や、点滅ユニット２３０を有さない誘導灯装置の近くに、点滅装置１０１を設置することにより、地震発生時に照射できる床面の面積が広がり、安全に避難することができる。
【００４１】
なお、点滅部１３０は、実施の形態１で説明した構成ではなく、実施の形態２で説明したように、ＬＥＤ１３３がカバー１３５の外に設けられた構成であってもよいし、実施の形態３で説明したように、キセノンランプ１３１がない構成であってもよい。
【００４２】
実施の形態５．
実施の形態５について、図１６を用いて説明する。
なお、実施の形態４と共通する部分については、同一の符号を付し、説明を省略する。
【００４３】
図１６は、この実施の形態における点滅装置１０１の外観を示す斜視図である。
点滅装置１０１は、例えば、天井面に埋め込んで設置される。点滅装置１０１は、器具本体１１０と、点滅部１３０と、スピーカー１５１とを有する。
点滅部１３０及びスピーカー１５１は、器具本体１１０の下面に設けられている。
【００４４】
点滅装置１０１をこのような構成としても、実施の形態４と同様の効果を奏する。
【００４５】
なお、避難誘導システム８００は、実施の形態４で説明した点滅装置１０１と、この実施の形態で説明した点滅装置１０１とが混在する構成であってもよい。
【００４６】
実施の形態６．
実施の形態６について、図１７〜図１９を用いて説明する。
なお、実施の形態４と共通する部分については、同一の符号を付し、説明を省略する。
【００４７】
図１７は、この実施の形態における点滅装置１０１の外観を示す斜視図である。
点滅装置１０１は、スピーカー１５１を有さず、器具本体１１０と、点滅部１３０とを有する。
【００４８】
図１８は、この実施の形態における点滅装置１０１の構成を示すブロック構成図である。
点滅装置１０１は、実施の形態４で説明した点滅装置１０１から誘導音出力部２３５を除いた構成である。
【００４９】
図１９は、この実施の形態における避難誘導処理Ｓ５１０の流れを示すフローチャート図である。
避難誘導処理Ｓ５１０は、実施の形態４で説明した工程のうち、誘導音出力工程Ｓ５１７，Ｓ５２７を有さない。
点滅工程Ｓ５１６ののち、点滅回路２３１は、リセット判定工程Ｓ５１８へ処理を進める。
床面照射工程Ｓ５２６ののち、点滅回路２３１は、リセット判定工程Ｓ５２８へ処理を進める。
【００５０】
このように、誘導音による避難誘導の機能を省くことにより、点滅装置１０１のコストを抑えることができる。これにより、より多くの点滅装置１０１を設置することができるので、地震発生時に照射できる床面の面積が更に広がり、安全に避難することができる。
【００５１】
なお、避難誘導システム８００は、実施の形態４及び実施の形態５の少なくともいずれかで説明した点滅装置１０１と、この実施の形態で説明した点滅装置１０１とが混在する構成であってもよい。
【００５２】
実施の形態７．
実施の形態７について、図２０を用いて説明する。
なお、実施の形態６と共通する部分については、同一の符号を付し、説明を省略する。
【００５３】
図２０は、この実施の形態における点滅装置１０１の外観を示す斜視図である。
点滅装置１０１は、実施の形態５で説明した点滅装置１０１と同様、例えば、天井面に埋め込んで設置される。
【００５４】
点滅装置１０１をこのような構成としても、実施の形態６と同様の効果を奏する。
【００５５】
なお、避難誘導システム８００は、実施の形態４乃至実施の形態６の少なくともいずれかで説明した点滅装置１０１と、この実施の形態で説明した点滅装置１０１とが混在する構成であってもよい。
【００５６】
実施の形態８．
実施の形態８について、図２１〜図２３を用いて説明する。
なお、実施の形態３と共通する部分については、同一の符号を付し、説明を省略する。
【００５７】
図２１は、この実施の形態における点滅部１３０の構造を示す正視一部断面図である。
点滅部１３０は、実施の形態３で説明した構成に加えて、更に、回転部１３６と、反射部１３７とを有する。
回転部１３６は、例えば、モータと回転軸などを有する。回転部１３６は、誘導灯装置１００の設置時において略垂直方向となる方向の軸を中心として回転する。
反射部１３７は、誘導灯装置１００の設置時において略水平方向となる方向を軸として、回転部１３６の先端に、回動可能に固定されている。反射部１３７の表面は、光を反射する。
カバー１３５は、略円筒状であり、ＬＥＤ１３３及び反射部１３７を覆う。
【００５８】
図２２は、この実施の形態における点滅回路２３１の構成を示すブロック構成図である。
点滅制御回路２６５は、回転部１３６の動作を制御する信号を生成する。点滅制御回路２６５は、制御入力端子２３４から入力した点滅制御信号にしたがって、回転部１３６を制御する。点滅制御信号が点滅を指示する場合、点滅制御回路２６５は、回転部１３６を回転させる。回転部１３６は、点滅制御回路２６５からの信号にしたがって、１秒間に約２回の割合で回転する。それ以外の場合、点滅制御回路２６５は、回転部１３６を停止させる。
また、点滅制御回路２６５は、制御入力端子２３４から入力した点滅制御信号にしたがって、点灯回路２６７を制御する。点灯制御信号が消灯を指示する場合、点滅制御回路２６５は、点灯回路２６７の動作を停止させ、ＬＥＤ１３３を消灯する。点灯制御信号が点滅点灯または連続点灯を指示する場合、点滅制御回路２６５は、点灯回路２６７を動作させ、ＬＥＤ１３３を連続点灯する。
【００５９】
図２３は、この実施の形態における点滅部１３０の動きを示す模式図である。
回転部１３６が回転していない場合、反射部１３７は、重力の働きなどにより、垂れ下がった位置にある。このため、ＬＥＤ１３３が放射した光は、反射部１３７に反射せず、そのまま床面に達する。
回転部１３６が回転している場合、反射部１３７は、回転軸を中心として、遠心力の働きなどにより、ＬＥＤ１３３の正面を横切りながら回転する。ＬＥＤ１３３が放射した光は、反射部１３７に反射して、略水平方向へ向けて放射される。
【００６０】
制御入力端子２３４から入力した点滅制御信号が消灯もしくは連続点灯を指示する場合、点滅制御回路２６５は、回転部１３６の回転を停止させる。点滅制御信号が連続点灯を指示する場合、ＬＥＤ１３３が放射した光は、反射部１３７に反射することなく、略垂直下方向へ放射され、床面を照射する。
制御入力端子２３４から入力した点滅制御信号が点滅点灯を指示する場合、点滅制御回路２６５は、回転部１３６を回転させる。ＬＥＤ１３３が放射した光は、１秒間に約２回の割合で、反射部１３７に反射して、略水平方向へ放射される。これにより、誘導灯装置１００を略水平方向から見ると、反射部１３７が反射した光が、１秒間に約２回の割合で点滅しているように見える。
【００６１】
これにより、ＬＥＤ１３３が放射した光を、地震発生時の床面照射用と、火災発生時の点滅用とで共用することができる。
【００６２】
実施の形態９．
実施の形態９について、図２４を用いて説明する。
なお、実施の形態４と共通する部分については、同一の符号を付し、説明を省略する。
【００６３】
図２４は、この実施の形態における点滅部１３０の構造を示す正視一部断面図である。
点滅装置１０１は、壁面埋込み型であり、点滅部１３０は、器具本体１１０の側面に設けられている。
点滅部１３０は、ＬＥＤ１３３と、カバー１３５と、反射部１３７とを有する。
反射部１３７の表面は、光を反射する。反射部１３７は、それぞれのＬＥＤ１３３の略正面に位置し、略水平方向を軸として回転する。点滅制御回路２６５は、反射部１３７の角度を制御する。
【００６４】
制御入力端子２３４から入力した点滅制御信号が点滅点灯を指示する場合、点滅制御回路２６５は、反射部１３７の角度を約４５度にし、ＬＥＤ１３３を点滅点灯させる。ＬＥＤ１３３が放射した光は、反射部１３７に反射し、その下側に位置する反射部１３７の裏側に反射して、略水平方向へ向けて放射される。
制御入力端子２３４から入力した点滅制御信号が連続点灯を指示する場合、点滅制御回路２６５は、反射部１３７の角度を点滅点灯時よりも浅い角度（例えば３０度）にし、ＬＥＤ１３３を連続点灯させる。ＬＥＤ１３３が放射した光は、反射部１３７に反射して、床面を照射する。
【００６５】
これにより、ＬＥＤ１３３が放射した光を、地震発生時の床面照射用と、火災発生時の点滅用とで共用することができる。
【符号の説明】
【００６６】
１００  誘導灯装置、１０１  点滅装置、１１０  器具本体、１１１  開口穴、１２０  表示部、１２１  表示本体、１２２  シンボル面、１２３  表示パネル、１２４  導光板、１２５  表示光源部、１２６，１３３  ＬＥＤ、１２７，１３４  プリント配線板、１２８  ランプホルダ、１３０  点滅部、１３１  キセノンランプ、１３２  キセノンランプソケット、１３５  カバー、１３６  回転部、１３７  反射部、１４０  制御回路、１４４  火災判定部、１４５  地震判定部、１４６  制御信号生成部、１５１  スピーカー、１６０  電源端子台、１６１〜１６４，１７１，１７２，１８１，１８２  電線挿入穴、１７０  火災信号端子台、１８０  地震信号端子台、１９１〜１９７  電線、２２０  誘導灯ユニット、２２１  誘導灯回路、２２２，２３２  電池、２２３，２３３，２４３  電源端子、２２４，２３４  制御入力端子、２３０  点滅ユニット、２３１  点滅回路、２３５  誘導音出力部、２４０  制御ユニット、２４６，２４７  制御出力端子、２４４  火災入力端子、２４５  地震入力端子、２５１，２６１  電源回路、２５２，２６２  停電判定部、２５３，２６３  電源切替回路、２５４，２６４  充放電回路、２５５  照度設定回路、２５６，２６６，２６７  点灯回路、２６５  点滅制御回路、８００  避難誘導システム、８１０  配電設備、８２０  火災報知設備、８３０  非常放送設備、８９１  電源線、８９２  火災信号線、８９３  地震信号線。
【図１】
0005404664.tif 000002
【図２】
0005404664.tif 000003
【図３】
0005404664.tif 000004
【図４】
0005404664.tif 000005
【図５】
0005404664.tif 000006
【図６】
0005404664.tif 000007
【図７】
0005404664.tif 000008
【図８】
0005404664.tif 000009
【図９】
0005404664.tif 000010
【図１０】
0005404664.tif 000011
【図１１】
0005404664.tif 000012
【図１２】
0005404664.tif 000013
【図１３】
0005404664.tif 000014
【図１４】
0005404664.tif 000015
【図１５】
0005404664.tif 000016
【図１６】
0005404664.tif 000017
【図１７】
0005404664.tif 000018
【図１８】
0005404664.tif 000019
【図１９】
0005404664.tif 000020
【図２０】
0005404664.tif 000021
【図２１】
0005404664.tif 000022
【図２２】
0005404664.tif 000023
【図２３】
0005404664.tif 000024
【図２４】
0005404664.tif 000025